(57)【要約】【課題】本発明は、使用者が閲覧や制御をすることができる個体らを画面に表示する使用者インターフェースで使用者の画面上の現在相互作用位置を示すポインティングカーソルを前記個体らの間に速かに移動することができながら、個体と無関な画面上の任意位置にも容易に移動することができる表示制御方法及びその方法を使用する携帯端末機を提供する。【解決手段】本発明による表示制御方法は、使用者インターフェースと、ポインティングカーソルを表示して、ポインティングカーソルを移動させる移動キーが一定時間を超過して入力された場合には、移動キーの操作方向に対応してポインティングカーソルの表示位置を移動させて、移動キーが一定時間以下に入力された場合には、移動キーの操作方向に隣接した個体でポインティングカーソルの表示位置を移動させることを特徴とする。【選択図】図２
2010533916.tif 000002
【特許請求の範囲】
【請求項１】
使用者インターフェースと、ポインティングカーソルを表示する段階と、
前記ポインティングカーソルを移動させる移動キーが一定時間を超過して入力された場合、入力された時間の間に前記移動キーの操作方向に対応して前記ポインティングカーソルの表示位置を移動させる段階と、及び
前記移動キーが前記一定時間以下に入力された場合には、前記移動キーの操作方向に隣接した個体で前記ポインティングカーソルの表示位置を移動させる段階と、を含むことを特徴とする携帯端末機での表示制御方法。
【請求項２】
前記隣接した個体で前記ポインティングカーソルの表示位置を移動させる場合、前記ポインティングカーソルの移動軌跡が現われるように表示することを特徴とする請求項１に記載の携帯端末機での表示制御方法。
【請求項３】
前記個体には、メニュー項目及び選択項目が含まれることを特徴とする請求項１に記載の携帯端末機での表示制御方法。
【請求項４】
使用者インターフェースと、ポインティングカーソルが表示される表示部と、
前記ポインティングカーソルを移動させる移動キーと、及び
前記移動キーが一定時間を超過して入力された場合、入力された時間の間に前記移動キーの操作方向に対応して前記ポインティングカーソルの表示位置を移動させて、前記移動キーが前記一定時間以下に入力された場合、前記移動キーの操作方向に隣接した個体で前記ポインティングカーソルの表示位置が移動されるように制御する制御部と、を含むことを特徴とする携帯端末機。
【請求項５】
前記制御部は、前記隣接した個体で前記ポインティングカーソルの表示位置を移動させる場合、前記ポインティングカーソルの移動軌跡が現われるように表示することを特徴とする請求項４に記載の携帯端末機。
【請求項６】
前記移動キーは、ジョイ・スティックキー、タッチパッド、トラックボール、ポインティングスティック、フィンガーマウス、及び方向キーのうちでいずれかひとつであることを特徴とする請求項４に記載の携帯端末機。
【請求項７】
携帯端末機での表示制御方法をプロセッサで実行させるためのプログラムを記録したプロセッサが読めることを特徴とする請求項１ないし３のうちいずれか一つに記載の記録媒体。
【発明の詳細な説明】
【技術分野】
【０００１】
本発明は、使用者と相互作用する個体らを画面に表示する使用者インターフェースでポインティングカーソルの個体間迅速な移動と画面上の任意位置への移動を容易に遂行する表示制御方法及びその方法を使用する携帯端末機に関するものである。
【背景技術】
【０００２】
携帯電話などのような携帯端末機のうちでタッチパッド(touch pad)などのように画面の絶対位置を容易に指定することができる入力方法が提供されない機器の使用者インターフェースでは、マウスが支援されなかった過去のＰＣのようにポインティングカーソル(pointing cursor)の表示なしに方向キーやこれに対応するキーを利用して使用者と相互作用する個体ら、例えば、メニュー項目や選択ボタン間の移動のみを支援するものが一般的である。
【０００３】
ところが、携帯端末機で目立っているフルブラウザー(full browser)のように、ＰＣで見る画面をそのまま携帯端末機でも示すことを特徴とするソフトウェアでは、マウスが存在することを前提に製作されたＰＣ使用者インターフェースをマウスがない機器でそのまま使わなければならない場合がある。
【０００４】
この時、使用者が相互作用を所望する個体を便利に選択するようにするために次のような方式らを提供することができる。第一、画面にポインティングカーソルを表示して、キーボードの矢印キーやそれに対応するキーを利用してマウスカーソルを動かして所望する相互作用位置に移動する方式がある。第二、画面に表示される使用者と相互作用する個体らを感知して、キーボードの矢印キーやそれに対応するキーを押せば個体配置によって該当方向で一番近い個体で相互作用位置を直ちに移動する方式があるが、この場合相互作用位置をマウスカーソル模様で表示することもできて、相互作用可能な個体の範囲をわくで表示することもできる。
【０００５】
前記二つの方式は相互補完的であるために、いずれか一つのみを提供しては使用者がインターフェースと便利に相互作用することができない。よって、前記二つの方式がすべて使用者に提供されなければならないが、前記二つの方式をどのように使用者が便利に交替しながら使用することができるようにするのかがカギである。一般的な場合、別途のキーやメニューを利用して前記二つの方式間を切り替えるようにするが、前記二つの方式は相互作用時に頻繁に交替しながら使わなければならないものであるので、とても煩わしい実情である。
【発明の概要】
【発明が解決しようとする課題】
【０００６】
よって、本発明の目的は、使用者と相互作用する個体らを画面に表示する使用者インターフェースでポインティングカーソルの迅速な移動と画面上の任意位置への移動を容易に遂行することができる表示制御方法及びその方法を使用する携帯端末機を提供することにある。
【課題を解決するための手段】
【０００７】
前記目的を達成するための本発明による携帯端末機での表示制御方法は、使用者インターフェースと、ポインティングカーソルを表示する段階と、前記ポインティングカーソルを移動させる移動キーが一定時間を超過して入力された場合、前記移動キーの操作方向に対応して前記ポインティングカーソルの表示位置を移動させる段階と、及び前記移動キーが前記一定時間以下入力された場合には、前記移動キーの操作方向に隣接した個体で前記ポインティングカーソルの表示位置を移動させる段階と、を含む。
【０００８】
一方、本発明による携帯端末機は、使用者インターフェースと、ポインティングカーソルが表示される表示部、前記ポインティングカーソルを移動させる移動キー、及び前記移動キーが一定時間を超過して入力された場合、前記移動キーの操作方向に対応して前記ポインティングカーソルの表示位置を移動させて、前記移動キーが前記一定時間以下に入力された場合、前記移動キーの操作方向に隣接した個体で前記ポインティングカーソルの表示位置が移動されるように制御する制御部を含む。
【０００９】
前記目的を達成するために本発明では、前記方法をコンピューターで実行させるためのプログラムを記録したコンピューターで読める記録媒体を提供する。
【発明の効果】
【００１０】
本発明によると、使用者と相互作用する個体らを画面に表示する使用者インターフェースでポインティングカーソルの個体間の迅速な移動と画面上の任意位置への移動を同一な移動キーを利用して遂行することができる。これによって使用者は移動キーを押してから離す時間を調節することで、お互いに異なるキーやメニューを使用して移動方式を切り替えるより簡便で容易に所望する方式で相互作用位置を移動することができるようになる。
【図面の簡単な説明】
【００１１】
【図１】本発明の一実施例による表示制御方法が適用される携帯端末機構成の一例を示した図面である。
【図２】本発明の一実施例による表示制御方法の説明に提供される流れ図である。
【図３】本発明の一実施例による表示制御方法を携帯端末機に表示される画面と共に説明するために参照される図面である。
【図４】本発明の一実施例による表示制御方法を携帯端末機に表示される画面と共に説明するために参照される図面である。
【発明を実施するための形態】
【００１２】
以下では図面を参照して本発明をより詳細に説明する。
【００１３】
本発明による表示制御方法は、画面にポインティングカーソルを表示して、方向キーやこれに対応するキーを利用してポインティングカーソルを操作して所望する相互作用位置に移動する方式と、画面に表示される使用者と相互作用する個体らを感知して、方向キーやこれに対応するキーを操作して個体配置によって操作方向で一番近い個体に相互作用位置を直接移動する方式を使用者が便利に切り替えながら使用できるようにする。
【００１４】
また、本発明による表示制御方法は、基本的に携帯端末機に適用されるが、本明細書で記述される携帯端末機には、携帯電話、スマートフォン(smart phone)、ノート型パソコン(notebook computer)、デジタル放送用端末機、ＰＤＡ(Personal Digital Assistants)、ＰＭＰ(Portable Multimedia Player)、ナビゲーションなどが含まれる。
【００１５】
図１は、本発明による表示制御方法が適用される携帯端末機構成の一例を示した図面である。図１を参照すると、本携帯端末機１０は、無線通信部１１、キー入力部１２、表示部１３、インターフェース部１４、音響処理部１５、メモリー１６、及び制御部１７を含む。
【００１６】
無線通信部１１は放送受信、移動通信、無線インターネット、近距離通信などのためのインターフェースを提供する。キー入力部１２は方向キーなどを含む複数のキーを具備して、使用者が押したキーに対応する信号を制御部１７に伝達して、使用者の動作命令やデータの入力を受けるようにする。表示部１３はＬＣＤ(Liquid Crystal Display)などで構成されて、動作制御のためのメニューなどを含む使用者インターフェースが表示されて、信号受信状態及びバッテリー情報、及び使用者が入力した命令に従って携帯端末機の動作状態に関する情報などが表示される。
【００１７】
インターフェース部１４は携帯端末機１０に連結されるすべての外部機器とのインターフェース役割を遂行する。携帯端末機１０に連結される外部機器の例としては、有/無線ヘッドセット、外部充電器、有/無線データポート、メモリーカード(Memory card)、ＳＩＭ/ＵＩＭ cardなどのようなカードソケット、オーディオＩ/Ｏ(Input/Output)端子、ビデオＩ/Ｏ(Input/Output)端子、イヤホンなどがある。
【００１８】
音響処理部１５は制御部１７から出力される音響信号を増幅してスピーカーなどに出力するか、またはマイクなどを通じて入力される音響信号を電気的信号に変換して制御部１７に伝達する。メモリー１６は携帯端末機運営に必要なプログラムやデータ、及び使用者が保存することを所望する各種データを保存する。
【００１９】
制御部１７は前記各部の動作を制御して移動通信端末機の全般的な動作を制御する。特に、制御部１７は方向キーなどのようなポインティングカーソルを移動させる移動キーが一定時間を超過して入力された場合には 入力された時間の間に移動キーの操作方向に対応してポインティングカーソルの表示位置を移動させる。また、制御部１７は移動キーが一定時間以下に入力された場合には移動キーの操作方向に隣接した個体でポインティングカーソルの表示位置が移動されるように制御する。
【００２０】
図２は、本発明の一実施例による表示方法の説明に提供される流れ図である。図２を参照すると、先ず、制御部１７は特定メニューが駆動されるか、または大気モードで特定キーが入力される場合などに表示部１３の画面に使用者インターフェースとポインティングカーソルが表示されるように制御する(Ｓ２０)。画面に表示されるポインティングカーソルは方向キーなどのようにポインティングカーソルの移動キーで設定されたキーの操作によって視覚的に共に動く。ポインティングカーソルの一般的形態は矢模様であるが、使用者が所望する形態に切り替えて表示することも可能である。また、ポインティングカーソルの移動キーとしては、ジョイ・スティックキー、タッチパッド、トラックボール、ポインティングスティック、フィンガーマウスなどが使われることもできる。
【００２１】
制御部１７はポインティングカーソルを移動させるように設定されたポインティングカーソル移動キーが入力される場合には、ポインティングカーソル移動キーの入力時間によってそれぞれ異なるように制御する。すなわち、ポインティングカーソル移動キーが既設定された一定時間を越えて入力される場合にはポインティングカーソル移動キーの操作方向に対応してそれに従ってポインティングカーソルが移動されて表示されるように制御する(Ｓ３０、Ｓ３５)。しかし、ポインティングカーソルの移動キーの入力時間が既設定された一定時間以下に入力された場合には、ポインティングカーソル移動キーの操作方向に隣接したメニュー項目や選択項目などのような個体に移動するように制御する(Ｓ３０、Ｓ４０)。
【００２２】
そして、Ｓ２５段階でポインティングカーソル移動キーの以外に他のキーが入力された場合には(Ｓ４５)、制御部１７は入力されたキーに対応する動作が遂行されるように制御する(Ｓ５０)。ポインティングカーソル移動キー以外に他のキーの入力としては、テキスト入力のためのキーや、その他のメニュー転換や通信などのためのキーなどの入力がある。
【００２３】
前記したところのような過程によって、使用者が方向キーなどと共にポインティングカーソル移動キーに設定されたキーを押した後に一定時間以内に離す場合、そのキーが指定した方向で一番近い個体で現在相互作用位置を直ちに移動させる。反面に、使用者がポインティングカーソル移動キーに設定されたキーを押した後一定時間以内に離さない場合、そのキーが指定した方向に現在相互作用位置を、ポインティングカーソルを移動することと類似な方式で個体らの位置と無関に漸次的に動いて、キーを離す時に動きを止める。任意の場所で相互作用位置を移動させようとすると、どうせカーソルの速度限界のためにキーを押している期間が長くなるので、キーを長く押すことで任意の場所に相互作用位置を移動させる方式が自然に受け入れられることができる。
【００２４】
図３及び図４は、本発明の一実施例による携帯端末機の表示制御方法を表示部に表示される画面と共に説明するために参照される図面である。
【００２５】
先ず、図３は表示部１３の画面１００には使用者インターフェース１１０が表示されて、使用者インターフェース１１０内にはメニュー項目や選択項目などのような個体１２１、１２３、１２５、１２７が表示されたことを示す。そして、画面１００には矢印模様のポインティングカーソル１３０が表示される。ポインティングカーソル１３０は現在使用者が相互作用することができる位置を示す。図３では、移動キーの操作方向によって隣接した個体でポインティングカーソル１３０が移動して、使用者との相互作用位置を直ちに移動する方式を示す。そして、図４では、個体の位置とは無関に移動キーが押された方向に相互作用位置を示すポインティングカーソル１３１が漸次的に移動する方式を示す。
【００２６】
このような過程によって、使用者と相互作用する個体らを画面に表示する使用者インターフェースでポインティングカーソルの個体間迅速な移動と画面上の任意位置への移動を容易に遂行することができるようになる。
【００２７】
また、前記した実施例ではポインティングカーソルを例にして説明したが、これは一つの例だけであり、本発明はこれに限定されるものではなくて、画面上使用者と相互作用することができる位置を示すすべての模様や表示に適用可能である。
【００２８】
一方、本発明は携帯端末機に具備されたプロセッサが読める記録媒体にプロセッサが読めるコードとして具現することが可能である。プロセッサが読める記録媒体はプロセッサによって読まれることができるデータが保存されるすべての種類の記録装置を含む。プロセッサが読める記録媒体の例としてはＲＯＭ、ＲＡＭ、ＣＤ−ＲＯＭ、磁気テープ、フロッピー（登録商標）、光データ保存装置などがあり、またインターネットを通じた伝送などのようなキャリアウエーブの形態に具現されることも含む。また、プロセッサが読める記録媒体はネットワークで連結されたコンピューターシステムに分散して、分散方式でプロセッサの読めるコードが保存されて実行されることができる。
【００２９】
また、以上では本発明の望ましい実施例に対して示して説明したが、本発明は上述した特定の実施例に限定されなくて、請求範囲で請求する本発明の要旨を脱することがなしに、当該発明が属する技術分野で通常の知識を有した者によって多様な変形実施が可能なことは勿論であって、このような変形実施らは本発明の技術的思想や見込みから個別的に理解されてはいけないであろう。
【符号の説明】
【００３０】
１１  無線通信部
１２  キー入力部
１３  表示部
１４  インターフェース部
１５  音響処理部
１６  メモリー
１７  制御部
【図１】
2010533916.tif 000003
【図２】
2010533916.tif 000004
【図３】
2010533916.tif 000005
【図４】
2010533916.tif 000006
【国際調査報告】
2010533916.tif 000007
2010533916.tif 000008